(57)【要約】【課題】  夏季でも冬季でも、周年、使うことができ、簡単に手入れすることができるなど、取り扱い性を向上させた、愛玩動物用ベッドを提供する。【解決手段】  撥水性布部材を用いた外袋体３内に、蓄熱材を保持した蓄熱材袋体２を複数収容することで、上面に愛玩動物が横臥できるようにする。  前記外袋体３には、内側に前記蓄熱材袋体２を収容する、４つの区画収容部５を形成する。  また、前記外袋体３上面の短手側端部近傍および三番目の区画収容部５上には、係着手段７を設けて突縁部材６を突設可能とする。  蓄熱材袋体２には、周知のクッション性素材を用いると共に、内面に不透水性フィルム９を積層し、表地１０として、ポリ塩化ビニル（ＰＶＣ）をコーティングしたナイロン等の繊維を用いる。  ここでの蓄熱材は、いわゆる保冷剤は勿論、周囲に温熱を放散する保温剤をも想定している。【選択図】              図１
2006081422.tif 000002
【特許請求の範囲】
【請求項１】
クッション性素材を用いて構成した、蓄熱材を保持する蓄熱材袋体を収容することで、上面に愛玩動物が横臥可能な外袋体を構成し、この外袋体は、撥水性布部材で構成して、内側に前記蓄熱材袋体を収容可能とする複数の区画収容部を構成したことを特徴とする愛玩動物用ベッド。
【請求項２】
前記外袋体上面適所に、愛玩動物を支える突縁部材を、係着手段を介して着脱可能に突設したことを特徴とする請求項１記載の愛玩動物用ベッド。
【請求項３】
前記外袋体における区画収容部に、脱臭材を収容するようにしたことを特徴とする請求項１または２記載の愛玩動物用ベッド。
【発明の詳細な説明】
【技術分野】
【０００１】
本発明は、夏季は勿論、冬季においても使用可能として、周年、犬や猫等の愛玩動物にとって快適な、愛玩動物用ベッドに関するものである。
【背景技術】
【０００２】
従来より、保冷体をマット内に収容し、このマット上にペットを横臥させて涼感を与えることが知られている。
【０００３】
例えば、
【特許文献１】特開２００４−１７３５１３号公報  ここでは、アルミシートを含む多層構造の可撓性シートを、袋状に形成し、開口部を形成して、保冷体を出し入れするポケット部を設け、水分が外部に漏れ出ないように構成したものが、開示されている。
【発明の開示】
【発明が解決しようとする課題】
【０００４】
確かに、上記特許文献１によれば、夏季、愛玩動物に対して快適なベッドとして供し得るものである。しかしながら、寒冷地や冬季には必ずしも適したものとはいえない。特に低温に対しては犬に比較して弱い猫などに、快適な居場所として与えられる適切なものは見当たらない。
また、上記保冷マットでは、上面に直接、愛玩動物が横臥するものだから、汚れやすく愛玩動物の臭いが染みつきやすい。そのような汚れを落とすため、保冷マット全体を洗濯しなくてはならず、取り扱いが面倒である。
本発明はこのような課題を改善するために提案されたものであって、夏季でも冬季でも、周年、使うことができ、簡単に手入れすることができるなど、取り扱い性を向上させた、愛玩動物用ベッドを提供することを目的とする。
【課題を解決するための手段】
【０００５】
前記した課題を解決するために、本発明では、請求項１において、クッション性素材を用いて構成した、蓄熱材を保持する蓄熱材袋体を収容することで、上面に愛玩動物が横臥可能な外袋体を構成し、この外袋体は、撥水性布部材で構成して、内側に前記蓄熱材袋体を収容可能とする複数の区画収容部を構成した愛玩動物用ベッドを提案する。
また本発明では、請求項２において、前記外袋体上面適所に、愛玩動物を支える突縁部材を、係着手段を介して着脱可能に突設した愛玩動物用ベッドを提案する。
さらに本発明では、請求項３において、前記外袋体における区画収容部に、脱臭材を収容するようにした愛玩動物用ベッドを提案する。
【発明の効果】
【０００６】
本発明によれば、夏季でも冬季でも、周年、使うことができ、簡単に手入れすることができるなど、取り扱い性を向上させた、愛玩動物用ベッドを提供することができる。
【０００７】
請求項１によれば、外袋体内の区画収容部に、複数の蓄熱材袋体を、それぞれ収容することで、上面に愛玩動物が横臥可能となる。前記蓄熱材袋体から愛玩動物に対し、適度な温熱効果、または冷熱効果をもたらすことができ、愛玩動物にとって、居心地のよいものとなる。
前記外袋体は、撥水性布部材で構成しているので、汚れたら、外袋体内側の区画収容部から、それぞれ蓄熱材袋体を取り出して、新しい外袋体に前記蓄熱材袋体をすれば、再びベッドとして使用することができる。
汚れた外袋体は、洗濯が容易で、汚れを簡単に落とすことができ、すぐに再使用することができる。
【０００８】
請求項２によれば、外袋体上面適所に、突縁部材を、必要に応じて係着手段を介して装着すれば、愛玩動物は首などを前記突縁部材に載せた状態で横臥することができる。
【０００９】
請求項３によれば、外袋体上面には、愛玩動物が直接横臥するため、愛玩動物の臭いが染みつきがちであるが、外袋の頻繁な洗濯等の手入れと共に、外袋体内側の区画収容部に脱臭材を収容することで、前記愛玩動物の臭いを吸着して臭いの放散を抑制することができ、屋内において飼っても、何等問題ないものとすることができる。
【発明を実施するための最良の形態】
【００１０】
以下、本発明にかかる愛玩動物用ベッドにつき、一つの実施の態様を挙げ、添付の図面に基づいて説明する。
【実施例１】
【００１１】
図１、図２に愛玩動物用ベッド１を示す。この愛玩動物用ベッド１は、周囲に、温熱、または冷熱を放散する蓄熱材（後述）を保持した蓄熱材袋体２を、複数収容可能に構成した、上面に愛玩動物が横臥可能な外袋体３を有している。
【００１２】
前記外袋体３は、素材として、撥水性布部材、例えば、ポリ塩化ビニル（ＰＶＣ）をコーティングしたナイロン等の繊維を用いることができる。
この場合、前記外袋体３は、略方形状に縫製され、長手側側辺に沿って開口され、この開口縁に沿って開閉可能にファスナ４を配設している。
そして前記外袋体３には、内側に前記蓄熱材袋体２を収容する、複数（ここでは４つ）の区画収容部５を形成している。
また、前記外袋体３上面の短手側端部近傍には、愛玩動物を支える突縁部材６を、係着手段７を介して着脱可能に突設することができる。
また、前記係着手段７は、三番目の区画収容部５上の外袋体３上面に設けて、突縁部材６を着脱可能に突設することもできる。
この場合、係着手段７としては、面ファスナを用いることができる。
なお、前記突縁部材６は、例えば外袋体３外周近傍（２点鎖線で示す）に突設するために、外袋体３外周近傍に前記係着手段７を敷設することもできる。
【００１３】
次に、前記蓄熱材袋体２について説明する。
蓄熱材袋体２は、外形が略方形状のもので、芯材８として、周知のクッション性素材（例：ポリウレタンフォーム等）を用いている（図３、図４参照）。
また、内面には、後述する蓄熱体を収容するために不透水性フィルム９を前記芯材８に積層している。
そして、前記蓄熱材袋体２の表地１０としては、周知の布部材でよく、例えば、ポリ塩化ビニル（ＰＶＣ）をコーティングしたナイロン等の繊維を用いることができる。
以上のような構成の蓄熱材袋体２の一側面は、蓄熱体を出し入れするために開口され、この開口縁に沿って設けたファスナ１１によって開閉する構成である。
【００１４】
ここで前記蓄熱材について説明する。
ここでの蓄熱材は、いわゆる保冷剤は勿論、周囲に温熱を放散する保温剤をも想定している。
すなわち、保冷剤としては、手軽に使用できるものとしては、勿論、氷も含まれる。また、保冷剤としては、不透水性基材（例えば、ポリエステル等の合成樹脂フィルム）により、保冷媒体（水を吸収した吸水性樹脂、水溶性高分子、親水性アルコールからなるゲル状物等）を封入したものがある（特開２００４−１０１０６４号参照）。
【００１５】
一方、保温剤としては、例えば、使い捨てカイロなどのように、鉄粉などの酸化熱を利用して、保温熱を生成するようにしたものがある。
また最近では、電子レンジで加熱して使うようにしたものもある。この場合の熱媒体としては、シリカゲルなどを吸湿した水、ゲル状物質、天然粘土をアルコール系溶剤でペースト状にしたもの、小麦粒中に吸湿された水等がある。
【００１６】
そして前記外袋体３上面適所に設ける突縁部材６は、図５に示すように断面略台形型とし、芯材８であるクッション性素材（例：ポリウレタンフォーム等）を、ポリ塩化ビニル（ＰＶＣ）をコーティングした表地１０で被覆する構成としている。
【００１７】
以上のような愛玩動物用ベッド１において、外袋体３内の４つの区画収容部５に、目的に対応した蓄熱材（保冷剤または保温剤）を収容する蓄熱材袋体２を、それぞれ収容することで、蓄熱材袋体２における芯材８としてのクッション性素材により、ベッドとしての形態をもたらすことができ、上面に愛玩動物が横臥可能となる。
この場合、前記外袋体３内には、４つの区画収容部５が設けられているが、愛玩動物の大きさによって、使用する蓄熱材袋体２を増減するといった使い方が可能である。
例えば、使用する愛玩動物が想定通りの大きさの場合は、４つの区画収容部５全てに蓄熱材袋体２を収容して使用する（図１参照）。
一方、愛玩動物が想定より小さい場合には、例えば３つの区画収容部５に蓄熱材袋体２を収容して使用する（図６参照）。
【００１８】
以上のようにして前記外袋体３が、ベッドとしての形態をもたらされたら、外袋体３上面適所に、突縁部材６を、必要に応じて係着手段７を介して装着すれば、愛玩動物は首などを前記突縁部材６に載せた状態で横臥することができる。
なお、前記突縁部材６は、４つの区画収容部５全てに蓄熱材袋体２を収容して使用する場合、外袋体３上面の短手側端部近傍に装着する。
一方、前記３つの区画収容部５に蓄熱材袋体２を収容して使用する場合は、蓄熱材袋体２を収容した三番目の区画収容部５上の外袋体３上面に前記突縁部材６を装着する。このとき、蓄熱材袋体２が収容されない区画収容部５、外袋体３の箇所は、三番目の区画収容部５側面に折り畳まれた状態となる。
【００１９】
このようにして、外袋体３上面に横臥した愛玩動物へは、蓄熱材袋体２から、適度な温熱効果、または冷熱効果をもたらすことができ、愛玩動物にとって、居心地のよいものとなる。
【００２０】
そして前記外袋体３上面は、愛玩動物が直接横臥することで、使用につれ、汚れや臭いが付いていくが、前記外袋体３は、撥水性布部材で構成しているので、汚れたら、外袋体３内側の区画収容部５から、それぞれ蓄熱材袋体２を取り出して、新しい外袋体３に前記蓄熱材袋体２をすれば、再びベッドとして使用することができる。
汚れた外袋体３は、洗濯が容易で、汚れを簡単に落とすことができ、すぐに再使用することができる。なお、突縁部材６表面も、使用によって汚れが付くが、突縁部材６は外袋体３上面から取り外すことができるので、突縁部材６も手入れが簡単である。
【００２１】
以上、本発明にかかる愛玩動物用ベッド１につき、一つの実施の態様を挙げ説明したが、外袋体３内の区画収容部５には、図７に示すように脱臭材１２を収容するようにしてもよい。
この脱臭材１２としては、周知のものでよいが、竹や木材を炭化した活性炭を用いることができる。この場合、脱臭材１２は、通気性のある脱臭材袋体１３を用いると好都合である。前記脱臭材袋体１３においても、クッション性素材を芯材として用いるようにしている。
【００２２】
このようにすることで、外袋体３上面には、愛玩動物が直接横臥するため、愛玩動物の臭いが染みつきがちであるが、前記外袋の頻繁な洗濯等の手入れと共に、外袋体３内側の区画収容部５に脱臭材袋体１３を収容することで、前記愛玩動物の臭いを吸着して臭いの放散を抑制することができ、屋内において飼っても、何等問題ないものとすることができる。
【図面の簡単な説明】
【００２３】
【図１】本発明にかかる愛玩動物用ベッドの一つの実施の形態を示す、側面説明図である。
【図２】図１に示す愛玩動物用ベッドの構成説明図である。
【図３】蓄熱材を保持する蓄熱材袋体の拡大斜視説明図である。
【図４】図３に示す蓄熱材袋体の、Ａ−Ａ線に沿う切断矢視図である。
【図５】突縁部材の一例を示す、斜視説明図である。
【図６】３つの蓄熱材袋体に外袋体に収容して使用する状態を示す側面説明図である。
【図７】外袋体内の区画収容部に収容される脱臭材袋体と脱臭材の一例を示した斜視図である。
【符号の説明】
【００２４】
１                            愛玩動物用ベッド
２                            蓄熱材袋体
３                            外袋体
４                            ファスナ
５                            区画収容部
６                            突縁部材
７                            係着手段
８                            芯材
９                            不透水性フィルム
１０                          表地
１１                          ファスナ
１２                          脱臭材
１３                          脱臭材袋体
【図１】
2006081422.tif 000003
【図２】
2006081422.tif 000004
【図３】
2006081422.tif 000005
【図４】
2006081422.tif 000006
【図５】
2006081422.tif 000007
【図６】
2006081422.tif 000008
【図７】
2006081422.tif 000009